(57)【特許請求の範囲】
【請求項１】
刃部と親指リングとを有する第１鋏半体と、刃部と薬指リングとを有する第２鋏半体とが軸支部にて回動自在に連結される鋏であって、
前記第２鋏半体は、連結部を介して第２鋏半体刃側部と第２鋏半体リング側部とが連結軸を中心に回動可能に連結されて形成され、
前記第２鋏半体リング側部は、人指し指および中指が係止可能な部位を有し、
前記連結部には、前記回動を戻す弾性機構が設けられている
ことを特徴とする理美容用鋏。
【請求項２】
前記弾性機構はねじりバネを有する
ことを特徴とする請求項１記載の理美容用鋏。
【請求項３】
前記回動では、前記第２鋏半体刃側部が前記第２鋏半体リング側部に対し、四指の回動方向に回動し、
前記連結部には、所定角度回動すると、回動を拘束する回動拘束機構が設けられている
ことを特徴とする請求項１または請求項２記載の理美容用鋏。
【請求項４】
前記連結部には、回動可能な状態で連結を保持する連結保持機構が設けられている
ことを特徴とする請求項１〜３いずれか記載の理美容用鋏。
【請求項５】
前記第２鋏半体リング側部の前記薬指リングより鋏先端側には、人指し指の背に掛止する人指し指掛止部または／および中指の背に掛止する中指掛止部が設けられている
ことを特徴とする請求項１〜４いずれか記載の理美容用鋏。
【請求項６】
前記第１鋏半体または第２鋏半体の柄部であって、前記連結部より軸支部側にヒットポイントが設けられている
ことを特徴とする請求項１〜５いずれか記載の理美容用鋏。
【請求項７】
刃部と親指リングとを有する第１鋏半体と、刃部と薬指リングとを有する第２鋏半体とが軸支部にて回動自在に連結される鋏であって、
前記第２鋏半体を一体となすように、第２鋏半体刃側部と第２鋏半体リング側部とを連結する連結部と、
前記連結部の連結軸を中心に、前記第２鋏半体刃側部に対し前記第２鋏半体リング側部を回動する回動機構と、
前記回動に対抗する弾性機構と、
を備え、
前記第２鋏半体リング側部は、人指し指および中指が係止可能な部位を有する
ことを特徴とする理美容用鋏。
【発明の詳細な説明】
【技術分野】
【０００１】
本発明は理容または美容用の鋏に関する。
【背景技術】
【０００２】
一般的に利用されている理容師や美容師（カット技術者）の鋏（従来技術）の構成・作用について、簡単に説明する。動刃と親指リングとを有する第１鋏半体と、静刃部と薬指リングと小指掛部とを有する第２鋏半体とが軸支部にて回動自在に連結されている。髪切断時は、親指を親指リングに挿入し、薬指を薬指リングに挿入し、人差し指と中指とを第２鋏半体の柄部に添え、小指を小指掛部に掛ける。親指腹側を親指リングに押し当てることにより、静刃に対し動刃が回動し、静刃と動刃との間にある髪を切断する。【０００３】
このとき、薬指と薬指リングとの接触により、鋏の姿勢を保持することになる。薬指のリング接触部には負荷がかかる。長年に渡って鋏を使用していると、薬指にタコができたり、変形したりする。すなわち、知らず知らずのうちに、カット技術者に負担を与えている。【０００４】
ちなみに、一人の髪を切るのに約700回開閉する。時間にして約20分である。1日10人の髪を切ると仮定すると、約7000回の開閉となり、時間では約200分となる。1年のうち、240日稼働すると仮定しとして約168万開閉となり、時間にしては約800時間となる。20年間続けると、3000万開閉超、時間にして約16000時間となる。したがって、ほとんどのカット技術者は、薬指への負荷の影響を受けている。【０００５】
また、理容師や美容師の職業病の一つに指や手首の腱鞘炎がある。上記薬指への負荷が、指の腱鞘炎の原因である可能性がある。さらに、上記負荷が指から手首に伝わり、手首の腱鞘炎の遠因となる可能性もある。【０００６】
さらに、鋏を閉じるとき、親指リングと薬指リングとが衝突する。この衝突の衝撃が、指や手首の腱鞘炎の原因である可能性がある。【０００７】
特に、最近では斬新なカットテクニックが開発され、手首を過度に曲げる等の不自然な姿勢が要求される。これにより、ますます腱鞘炎の可能性が高まる。【０００８】
腱鞘炎を予防するため、例えば、特許文献１記載の従来技術が提案されている。すなわち、鋏の柄部の少なくとも一部分に中空部を形成するとともに、中空部に、粘弾性体を封入する。粘弾性体の優れた衝撃緩衝力や振動吸収力により、鋏を閉じるときの衝撃の一部を緩和できる。
【先行技術文献】
【特許文献】
【０００９】
【特許文献１】国際公開第２００６／０２２３６８号
【発明の概要】
【発明が解決しようとする課題】
【００１０】
しかしながら特許文献１記載の従来技術では、特に薬指への負荷について軽減することはできない。【００１１】
また、鋏を閉じるときの衝撃の一部を緩和できても、その効果は限定的である。したがって、カット技術者の負担軽減に対し、抜本的な対策になっていない。【００１２】
本発明は、上記課題を解決するものであり、薬指への負荷を軽減することにより、カット技術者への負担を軽減できる鋏を提供することを目的とする。
【課題を解決するための手段】
【００１３】
本願発明者は、薬指への負荷の原因を詳細に検討した。上述の通り、親指を親指リングに挿入し、薬指を薬指リングに挿入し、親指腹側を親指リングに押し当てることにより、静刃に対し動刃が回動し、静刃と動刃との間にある髪を切断する。このとき、薬指と薬指リングとの接触により、鋏（特に静刃）の姿勢を保持することになる。【００１４】
ところで、従来技術において、鋏開閉時の親指リングと薬指リングとが為す軌跡は一定である。カット技術者は、２つのリングの軌跡に合わせるように、指の動きを調整する。その結果、薬指のリング接触部には大きな負荷が発生する。【００１５】
本願発明者らは、上記原因に着目し、対応策を鋭意検討した結果、本発明に至った。【００１６】
上記課題を解決する本発明は、刃部と親指リングとを有する第１鋏半体と、刃部と薬指リングとを有する第２鋏半体とが軸支部にて回動自在に連結される鋏である。
前記第２鋏半体は、連結部を介して第２鋏半体刃側部と第２鋏半体リング側部とが連結されて形成される。第２鋏半体刃側部と第２鋏半体リング側部は、連結軸を中心に回動可能に連結される。
前記連結部には、前記回動を戻す弾性機構が設けられている。【００１７】
第２鋏半体リング側部の回動により、薬指への負荷や鋏が閉じるときの衝撃を軽減できる。また、鋏が閉じるとき、静刃の姿勢を保持しつつ、四指の屈曲を許容する。【００１８】
弾性機構による反力が回動に対抗するように作用することで、意図に反する回動が抑制できる。また、鋏が閉じる時、反力は付勢力として作用する。【００１９】
これにより、薬指への負荷を軽減でき、カット技術者への負担を軽減できる。【００２０】
上記発明において、好ましくは、前記弾性機構はねじりバネを有する。【００２１】
上記発明において、好ましくは、前記回動では、前記第２鋏半体刃側部が前記第２鋏半体リング側部に対し、四指の回動方向に回動する。
前記連結部には、所定角度回動すると、回動を拘束する回動拘束機構が設けられている。【００２２】
上記発明において、好ましくは、前記連結部には、回動可能な状態で連結を保持する連結保持機構が設けられている。【００２３】
上記発明において、好ましくは、前記第２鋏半体リング側部の前記薬指リングより鋏先端側には、人指し指または／および中指を掛止する指掛止部が設けられている。【００２４】
上記発明において、好ましくは、前記第１鋏半体または第２鋏半体の柄部であって、前記連結部より軸支部側にヒットポイントが設けられている。【００２５】
上記課題を解決する本発明は、刃部と親指リングとを有する第１鋏半体と、刃部と薬指リングとを有する第２鋏半体とが軸支部にて回動自在に連結される鋏である。
前記第２鋏半体を一体となすように、第２鋏半体刃側部と第２鋏半体リング側部とを連結する連結部と、
前記連結部の連結軸を中心に、前記第２鋏半体刃側部に対し前記第２鋏半体リング側部を回動する回動機構と、
前記回動に対抗する弾性機構と、
を備える。
【発明の効果】
【００２６】
本発明の鋏によれば、薬指への負荷を軽減できる。その結果、カット技術者への負担を軽減できる。
【図面の簡単な説明】
【００２７】
【図１】本実施形態に係る鋏の概略構成
【図２】本実施形態に係る鋏の概略構成
【図３】連結部の詳細構成
【図４】連結部の詳細構成
【図５】連結部の詳細構成
【図６】従来技術の鋏
【図７】従来技術の散髪動作
【図８】本実施形態の散髪動作
【図９】本実施形態の散髪動作
【図１０】本実施形態の動作詳細
【図１１】変形例
【図１２】変形例
【発明を実施するための形態】
【００２８】
＜第１実施形態＞
〜構成〜
図１および図２は、本実施形態に係る鋏の概略構成を示す。
【００２９】
動刃１１は柄部１２を介して親指リング１３と連続し、鋏半体１を構成する。静刃２１は柄部２２を介し薬指リング２３と連続し、鋏半体２を構成する。薬指リング２３には小指掛２４が延設される。鋏半体１と鋏半体２とが軸支部３にて回動自在に連結されている。親指腹側を親指リング１３に押し当てることにより、静刃２１に対し動刃１１が回動し、静刃２１と動刃１１との間にある髪を切断する。以上が、鋏の基本構成である。
【００３０】
本実施形態では、柄部２２において連結部２５が設けられている。すなわち、鋏半体２は、連結部２５を介して鋏半体刃側部２６と鋏半体リング側部２７とが連結されて形成される。柄部２２の中心軸が連結軸となる。
【００３１】
図３〜図５は、連結部２５の詳細構成を示す。連結部２５は、回動機構５１と弾性機構５２と、回動拘束機構５３と、連結保持機構５４とを有する。
【００３２】
鋏半体リング側部２７は鋏半体刃側部２６に対し連結軸を中心に回動可能である。
【００３３】
鋏半体刃側部２６の端部には、柄部２２より一回り小径の軸部６１が延設されている。軸部６１の根元には、軸部６１を囲むように溝が設けられ、ねじりバネ挿入部６２を形成する。
【００３４】
軸部６１の端面には、扇型状部材がもうけられ、回動拘束部６３を形成する。軸部６１の周面には、周方向に溝が設けられ、連結保持溝６４を形成する。
【００３５】
鋏半体リング側部２７の端部には、軸部６１に対応する穴が設けられ、軸受部７１を形成する。軸受部７１の入口では、軸穴より一回り拡径され、ねじりバネ挿入部７２を形成する。
【００３６】
軸受部７１の奥行きには、回動可能範囲部７３が設けられている。鋏半体リング側部２７には、表面から軸受部７１に連通するネジ孔７４が設けられている。
【００３７】
回動機構５１について説明する。軸部６１が軸受部７１に挿入されて、回動機構５１が形成される。つまり、鋏半体リング側部２７は鋏半体刃側部２６に対し連結軸を中心に回動可能となる。
【００３８】
弾性機構５２について説明する。ねじりバネ挿入部６２とねじりバネ挿入部７２は対向する位置にあり、空間を形成する。軸部６１まわりとねじりバネ挿入部６２，７２の間にねじりバネ８２が介挿され、弾性機構５２が形成される。
【００３９】
弾性機構５２は、回動機構５１による回動に対し、回動を戻すように作用する(詳細後述)。
【００４０】
回動拘束機構５３について説明する。軸部６１が軸受部７１に挿入された状態で、回動拘束部６３と回動可能範囲部７３とが対応する。回動拘束部６３である扇型部材は第１係止面と第２係止面を持つ。一方、回動可能範囲部７３は、回動拘束部６３の扇角より角度の大きい、扇状空間であり、第１係止面と第２係止面を持つ。
【００４１】
回動拘束部６３第１係止面と回動可能範囲部７３第１係止面とが係合することにより、回動機構５１による回動は、指の回動方向への回動であり、逆方向の回動が拘束される。
【００４２】
回動拘束部６３第２係止面と回動可能範囲部７３第２係止面とが係合することにより、回動機構５１による回動は、所定角度（４５〜９０度未満、たとえば７０度）に拘束される。
【００４３】
連結保持機構５４について説明する。軸部６１が軸受部７１に挿入された状態で、連結保持溝６４とネジ孔７４とが対応する。ネジ孔７４に連結保持ネジ８４に螺合させると、連結保持ネジ８４の先端が連結保持溝６４に位置する。連結保持ネジ８４先端が連結保持溝６４に係合し、軸方向の移動が拘束され、連結状態は保持される。
【００４４】
一方、回動機構５１による回動に伴い、連結保持ネジ８４先端は連結保持溝６４に沿って移動する。そのため、連結保持機構５４が回動を阻害することはない。
【００４５】
図１および図２に戻り、その他の構成について説明する。
【００４６】
鋏半体リング側部２７の柄部２２には、指掛止部４１，４２が設けられている。指掛止部４１はクォーターリング４１であり、指掛止部４２はワンエイスリング（= one eighth =1/8）４２である。
【００４７】
クォーターリング４１は、軸支部３と薬指リング２３との間から鋏先端側に向かって延設され、人差し指背部と当接する。クォーターリング４１は、楕円状の薬指リング２３の１／４弧状をしている。これにより、クォーターリング４１鋏先端側が開放されている。
【００４８】
ワンエイスリング４２は、薬指リング２３に鋏先端側に向かって延設され、中指背部と当接する。ワンエイスリング４２は、楕円状の薬指リング２３の１／８弧状に近似する形状をしている。これにより、ワンエイスリング４２鋏先端側が開放されている。
【００４９】
鋏半体刃側部２６の柄部２２であって、連結部２５と軸支部３の間にはヒットポイント２９が設けられている。
【００５０】
〜動作および効果〜
基本的な散髪動作について従来技術と本実施形態とを比較することにより、本実施形態の効果について説明する。
【００５１】
図６は従来技術の鋏の概略図であり、図７は従来技術の散髪動作について説明する図である。
【００５２】
親指を親指リングに挿入し、薬指を薬指リングに挿入し、人差し指と中指とを第２鋏半体の柄部に添え、小指を小指掛部に掛ける。
【００５３】
親指を開く方向に動かすことにより、静刃に対し動刃が回動し、鋏が開く。さらに、親指腹側を親指リングに押し当てることにより、静刃に対し動刃が反対方向回動し、鋏が閉じる。その際、静刃と動刃との間にある髪を切断する。この開閉が繰り返される。
【００５４】
このとき、薬指と薬指リングとの接触により、静刃の姿勢を保持することになる。四指（人差し指、中指、薬指、小指）は伸びた状態になる。この姿勢を維持することは、人間本来の動きに反し、指以外の筋肉も緊張する。
【００５５】
また、２つのリングの軌跡に指の動きをあわせる。薬指は薬指リングに拘束され、薬指のリング接触部には大きな負荷が発生する。
【００５６】
さらに、鋏が閉じるとき、親指リングと薬指リングとが衝突し、衝撃が発生する。
【００５７】
以上の動作が、カット技術者に負担を与え、腱鞘炎の原因となる可能性がある。
【００５８】
図８および図９は、本実施形態の散髪動作について説明する図である。図１０は、本実施形態の動作詳細について説明する図である。
【００５９】
親指を親指リング１３に挿入し、人差し指背部をクォーターリング４１に当接し、中指をワンエイスリング４２に当接し、薬指を薬指リング２３に挿入し、小指を小指掛２４に掛ける。
【００６０】
基本的な散髪動作は従来技術と共通するが、以下の点で相違する。
【００６１】
鋏が閉じるとき、薬指のリング接触部には負荷が発生する。負荷はねじりバネ８２に対抗し、鋏半体リング側部２７を回動させる。鋏半体リング側部２７の回動に伴い四指（人差し指、中指、薬指、小指）の回動（屈曲状態）を許容する。四指の屈曲は人間本来の動きであり、指以外の筋肉への影響は少ない。
【００６２】
一方、ねじりバネ８２の対抗力が作用することにより、カット技術者の意図に反する回動が抑制される。これにより、カット技術者は鋏が指に吸い付く一体感を得る。
【００６３】
鋏半体リング側部２７が回動しても、鋏半体刃側部２６すなわち静刃２１の姿勢は保持される。
【００６４】
従来技術では２つのリングの軌跡に指の動きをあわせるのに対し、本実施形態では、上記回動が指の動きにあわせる。上記回動により、薬指は薬指リングに拘束されず、薬指への負荷は大幅に軽減される。
【００６５】
さらに、鋏が閉じるとき、柄部１２はヒットポイント２９に衝突するが、上記回動により、衝撃は吸収される。
【００６６】
鋏が開くとき、ねじりバネ８２の対抗力は、付勢力として作用する。親指を開く方向に動かす力を軽減できる。
【００６７】
以上の動作により、薬指への負荷を軽減でき、カット技術者への負担を軽減できる。その結果、指や手首の腱鞘炎を予防できる。
【００６８】
〜その他の効果〜
最近では斬新なカットテクニックが開発され、手首を過度に曲げる等の不自然な姿勢が要求される。本実施形態では、四指の回動により、手首の曲げを緩和できる。すなわち、様々なカットテクニックにも対応できる。
【００６９】
回動機構５１および弾性機構５２以外の効果について説明する。
【００７０】
本実施形態は、回動拘束機構５３を備える。これにより、逆方向の回動および過剰な回動を抑制できる。
【００７１】
本実施形態は、連結保持機構５４を備える。これにより、上記回動を可能にするとともに、鋏半体２としての一体性を保持できる。
【００７２】
本実施形態は、クォーターリング４１およびワンエイスリング４２を備える。これにより、回動時に発生するねじりモーメントを抑制でき、回動の反力は四指に分散される。その結果、カット技術者への負担を軽減できる。
【００７３】
本実施形態は、ヒットポイント２９を備える。本実施形態では、上記のように回動が衝撃を吸収するため、親指リングと薬指リングの間にヒットポイントを設ける必要がない。また、ヒットポイント２９が鋏半体刃側部２６に設けられているため、鋏半体リング側部２７の回動を阻害しない。したがって、カット技術者には違和感が発生しない。
【００７４】
〜変形例〜
本願発明は上記実施形態に限定されず、発明の技術思想の範囲で種々の変形が可能である。
【００７５】
図１１は、本発明の変形例である。従来技術の鋏（図６参照）に、連結部２５、回動機構５１および弾性機構５２を付加したものである。
【００７６】
これにより上記実施形態と同様に、薬指への負荷を軽減でき、カット技術者への負担を軽減できる。その結果、指や手首の腱鞘炎を予防できる。
【００７７】
他の変形例について説明する。
【００７８】
上記実施形態においては、回動機構５１として軸部６１と軸受部７１を用いたが、他の構成でもよい。例えば、鋏半体刃側部２６に軸受け部を、鋏半体リング側部２７に軸部を設けてよい（図１２参照）。
【００７９】
上記実施形態においては、弾性機構５２としてねじりバネ８２を用いたが、他の構成でもよい。例えば、ゼンマイバネ、板バネ、流体バネ、樹脂等の弾性体を用いてもよい。
【００８０】
上記実施形態においては、回動拘束機構５３として回動拘束部６３と回動可能範囲部７３との係止構造を用いたが、他の構成でもよい。例えば、鋏半体刃側部２６に軸受け部を、鋏半体リング側部２７に軸部を設けて、軸部の基部に回動拘束部を設け、軸受け部に回動可能範囲部を設けても良い（図１２参照）。
【００８１】
上記実施形態においては、連結保持機構５４として、連結保持溝６４，ネジ孔７４，連結保持ネジ８４を用いたが、回動を確保しながら連結を保持できれば、他の構成でもよい。
【００８２】
上記実施形態においては、指掛止部としてクォーターリング４１およびワンエイスリング４２を用いたが、いずれか一方でもよい。
【００８３】
上記実施形態においては、ヒットポイント２９は鋏半体刃側部２６の柄部２２に設けられたが、柄部１２の対応する位置でもよい。
【符号の説明】
【００８４】
１  鋏半体（第１）
２  鋏半体（第２）
３  軸支部
１１  動刃
１２  柄部
１３  親指リング
２１  静刃
２２  柄部
２３  薬指リング
２４  小指掛部
２５  連結部
２６  第２鋏半体刃側部
２７  第２鋏半体リング側部
２９  ヒットポイント
４１  クォーターリング（人差し指掛止部）
４２  ワンエイスリング（中指掛止部）
５１  回動機構
５２  弾性機構
５３  回動拘束機構
５４  連結保持機構
６１  軸部
６２  ねじりバネ挿入部
６３  回動拘束部
６４  連結保持溝
７１  軸受部
７２  ねじりバネ挿入部
７３  回動可能範囲部
７４  ネジ孔
８２  ねじりバネ
８４  連結保持ネジ
【要約】
鋏使用時の薬指への負荷を軽減する。さらに、カット技術者への負担を軽減する。動刃（１１）は柄部（１２）を介して親指リング（１３）と連続し、鋏半体（１）を構成し、静刃（２１）は柄部（２２）を介し薬指リング（２３）と連続し、鋏半体（２）を構成する。鋏半体（１）と鋏半体（２）とが軸支部（３）にて回動自在に連結されている。鋏半体（２）は、連結部（２５）を介して鋏半体刃側部（２６）と鋏半体リング側部（２７）とが連結されて形成される。連結部（２５）は、回動機構（５１）と弾性機構（５２）とを備える。鋏半体リング側部（２７）は鋏半体刃側部（２６）に対し連結軸を中心に回動可能である。弾性機構（５２）は回動を戻す（回動に対抗する）ように作用する。【図１】
0005943498.tif 000002
【図２】
0005943498.tif 000003
【図３】
0005943498.tif 000004
【図４】
0005943498.tif 000005
【図５】
0005943498.tif 000006
【図６】
0005943498.tif 000007
【図７】
0005943498.tif 000008
【図８】
0005943498.tif 000009
【図９】
0005943498.tif 000010
【図１０】
0005943498.tif 000011
【図１１】
0005943498.tif 000012
【図１２】
0005943498.tif 000013